【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
右斜め方向及び左斜め方向に整列した複数の格子点から成る、平面斜方格子の格子点のうちの、前記右斜め方向又は前記左斜め方向に整列した格子点から成る列のうちの一つ置きの列中の一つの置きの格子点をスペース領域として、前記スペース領域が前記格子点の配列周期の２倍の周期で平面斜方格子状に配列され、前記スペース領域とされる格子点以外の格子点を発光素子が配置される発光素子位置とした画像表示部に表示すべき画像を生成する画像処理装置であって、
前記画像表示部の各発光素子位置の発光素子での表示に用いられる画像データとして、当該発光素子位置を中心として前記右斜め方向に配列された発光素子位置の配列周期、及び前記左斜め方向に配列された発光素子位置の配列周期に応じて異なる空間周波数帯域で、入力画像を帯域制限することで生成された画像データを前記画像表示部での表示に用いる
ことを特徴とする画像処理装置。
【請求項２】
前記入力画像に対して異なる空間周波数で帯域制限してそれぞれ画像データを出力する第一、第二及び第三の低域通過フィルタ部と、
各発光素子位置の発光素子での表示に用いられる画像データとして、当該発光素子を中心として前記右斜め方向における発光素子位置の配列周期及び前記左斜め方向における発光素子位置の配列周期に応じて前記第一の低域通過フィルタ部が出力する画像データ、前記第二の低域通過フィルタ部が出力する画像データ、及び前記第三の低域通過フィルタ部が出力する画像データのいずれかを選択する画像データ選択部とを有し、
前記第一の低域通過フィルタ部は、前記入力画像を、前記右斜め方向及び左斜め方向の双方に対して前記格子点の配列周期に対応した空間周波数以下の空間周波数で帯域制限し、
前記第二の低域通過フィルタ部は、前記入力画像を、前記右斜め方向に対して前記格子点の配列周期よりも長い周期に対応した空間周波数以下の空間周波数で帯域制限し、前記左斜め方向に対して前記格子点の配列周期に対応した空間周波数以下の空間周波数で帯域制限し、
前記第三の低域通過フィルタ部は、前記入力画像を、前記右斜め方向に対して前記格子点の配列周期に対応した空間周波数以下の空間周波数で帯域制限し、前記左斜め方向に対して前記格子点の配列周期よりも長い周期に対応した空間周波数以下の空間周波数で帯域制限する
ことを特徴とする請求項１に記載の画像処理装置。
【請求項３】
前記画像データ選択部は、
各発光素子位置の発光素子での表示に用いられる画像データとして、
当該発光素子を中心とする前記右斜め方向の発光素子の配列周期及び前記左斜め方向の発光素子の配列周期が、前記格子点の配列周期と同じである場合には、前記第一の低域通過フィルタ部で生成された画像データを選択し、
当該発光素子を中心とする前記右斜め方向の発光素子の配列周期が、前記格子点の配列周期よりも長く、前記左斜め方向の発光素子の配列周期が、前記格子点の配列周期と同じである場合には、前記第二の低域通過フィルタ部で生成された画像データを選択し、
当該発光素子を中心とする前記右斜め方向の発光素子の配列周期が、前記格子点の配列周期と同じであり、前記左斜め方向の発光素子の配列周期が、前記格子点の配列周期よりも長い場合には、前記第三の低域通過フィルタ部で生成された画像データを選択する
ことを特徴とする請求項２に記載の画像処理装置。
【請求項４】
前記格子点の配列周期に対応した空間周波数が、前記格子点の配列周期の逆数の１／２であることを特徴とする請求項２又は３に記載の画像処理装置。
【請求項５】
前記格子点の配列周期よりも長い周期が、前記格子点の配列周期の２倍であることを特徴とする請求項２から４のいずれか１項に記載の画像処理装置。
【請求項６】
前記画像表示部と、
請求項２から５のいずれか１項に記載の画像処理装置と、
前記発光素子を駆動制御して前記画像表示部に前記画像データ選択部が生成する画像を表示させる表示制御部とを備え、
前記発光素子位置の各々に、Ｒ、Ｇ、Ｂの３原色の発光素子が一つのパッケージに収納されて配置されている
ことを特徴とする画像表示装置。
【請求項７】
前記画像表示部と、
請求項２から５のいずれか１項に記載の画像処理装置と、
前記発光素子を駆動制御して前記画像表示部に前記画像データ選択部が生成する画像を表示させる表示制御部とを備え、
前記発光素子位置の各々に、Ｒ、Ｇ、Ｂの３原色の発光素子のいずれか一つが配置されている
ことを特徴とする画像表示装置。
【請求項８】
右斜め方向及び左斜め方向に整列した複数の格子点から成る、平面斜方格子の格子点のうちの、前記右斜め方向又は前記左斜め方向に整列した格子点から成る列のうちの一つ置きの列中の一つの置きの格子点をスペース領域として、前記スペース領域が前記格子点の配列周期の２倍の周期で平面斜方格子状に配列され、前記スペース領域とされる格子点以外の格子点を発光素子が配置される発光素子位置とした画像表示部に表示すべき画像を生成する画像処理方法であって、
前記画像表示部の各発光素子位置の発光素子での表示に用いられる画像データとして、当該発光素子位置を中心として前記右斜め方向に配列された発光素子位置の配列周期、及び前記左斜め方向に配列された発光素子位置の配列周期に応じて異なる空間周波数帯域で、入力画像を帯域制限することで生成された画像データを前記画像表示部での表示に用いる
ことを特徴とする画像処理方法。
【請求項９】
前記入力画像に対して異なる空間周波数で帯域制限してそれぞれ画像データを出力する第一、第二及び第三の低域通過フィルタステップと、
各発光素子位置の発光素子での表示に用いられる画像データとして、当該発光素子を中心として前記右斜め方向における発光素子位置の配列周期及び前記左斜め方向における発光素子位置の配列周期に応じて前記第一の低域通過フィルタステップが出力する画像データ、前記第二の低域通過フィルタステップが出力する画像データ、及び前記第三の低域通過フィルタステップが出力する画像データのいずれかを選択する画像データ選択ステップとを有し、
前記第一の低域通過フィルタステップは、前記入力画像を、前記右斜め方向及び左斜め方向の双方に対して前記格子点の配列周期に対応した空間周波数以下の空間周波数で帯域制限し、
前記第二の低域通過フィルタステップは、前記入力画像を、前記右斜め方向に対して前記格子点の配列周期よりも長い周期に対応した空間周波数以下の空間周波数で帯域制限し、前記左斜め方向に対して前記格子点の配列周期に対応した空間周波数以下の空間周波数で帯域制限し、
前記第三の低域通過フィルタステップは、前記入力画像を、前記右斜め方向に対して前記格子点の配列周期に対応した空間周波数以下の空間周波数で帯域制限し、前記左斜め方向に対して前記格子点の配列周期よりも長い周期に対応した空間周波数以下の空間周波数で帯域制限する
ことを特徴とする請求項８に記載の画像処理方法。
【請求項１０】
前記画像データ選択ステップは、
各発光素子位置の発光素子での表示に用いられる画像データとして、
当該発光素子を中心とする前記右斜め方向の発光素子の配列周期及び前記左斜め方向の発光素子の配列周期が、前記格子点の配列周期と同じである場合には、前記第一の低域通過フィルタステップで生成された画像データを選択し、
当該発光素子を中心とする前記右斜め方向の発光素子の配列周期が、前記格子点の配列周期よりも長く、前記左斜め方向の発光素子の配列周期が、前記格子点の配列周期と同じである場合には、前記第二の低域通過フィルタステップで生成された画像データを選択し、
当該発光素子を中心とする前記右斜め方向の発光素子の配列周期が、前記格子点の配列周期と同じであり、前記左斜め方向の発光素子の配列周期が、前記格子点の配列周期よりも長い場合には、前記第三の低域通過フィルタステップで生成された画像データを選択する
ことを特徴とする請求項９に記載の画像処理方法。
【請求項１１】
請求項８から１０のいずれか１項に記載の画像処理方法の各処理をコンピュータに実行させるためのプログラム。
【請求項１２】
請求項１１のプログラムを記録した、コンピュータで読み取り可能な記録媒体。
【手続補正２】
【補正対象書類名】明細書
【補正対象項目名】００１５
【補正方法】変更
【補正の内容】
【００１５】
表示制御部３は、画像処理装置２から出力される画像データＤ２に基づいて画像表示部４の発光素子配列に合わせた表示画像信号Ｄ３を生成し、この表示画像信号Ｄ３を画像表示部４に供給する。
【手続補正３】
【補正対象書類名】明細書
【補正対象項目名】００７４
【補正方法】変更
【補正の内容】
【００７４】
表示制御部３は、図１の表示制御部３と同じ機能を有し、プロセッサ５１からバス５５を介して転送された画像データＤ２に基づいて表示画像信号Ｄ３を生成し、この表示画像信号Ｄ３を画像表示部４に供給する。